(57)【特許請求の範囲】
【請求項１】
肥土層掘起刃によって掘り起こされた肥土層を、掘り起こされた後の圃場に搬送するコンベアを前記肥土層掘起刃の後方に配設するとともに、前記肥土層掘起刃の上方に、肥土層上部に存在する植物残渣層を掘り起こす植物残渣層掘起刃を配設し、この植物残渣層掘起刃によって掘り越された植物残渣層を後方に搬送するコンベアを前記植物残渣層掘起刃の後方に配設し、この植物残渣層搬送用コンベアの終端部分に植物残渣層裁断用カッターを配設するとともに、前記植物残渣層搬送用コンベアの終端部分に、耕起装置を横断する状態の植物残渣層搬送装置と、排出された植物残渣層を肥土層が掘り起こされた圃場に散布する散布装置を配設したことを特徴とする圃場土耕起装置。
【請求項２】
肥土層掘起刃及び／又は植物残渣層掘起刃は、角度調節装置によって傾斜角度の調節を行うことができるように構成した請求項１記載の圃場土耕起装置。
【請求項３】
植物残渣層搬送装置は、スクリューコンベアと筒状案内筒によって構成した請求項１又は請求項２記載の圃場土耕起装置。
【請求項４】
スクリューコンベアは、スクリュー型スプレッダである請求項１，請求項２又は請求項３記載の圃場土耕起装置。
【請求項５】
散布装置は、空気噴出装置である請求項１，請求項２，請求項３又は請求項４記載の圃場土耕起装置。
【発明の詳細な説明】
【０００１】
【産業上の利用分野】
この発明は、圃場の肥土層と圃場に残存する植物残渣層をそれぞれ分けて掘り起こし、これを再度圃場に埋め戻す際に、植物残渣を肥土の下方に埋め戻することができるようにした圃場土耕起装置に関するものである。
【０００２】
【従来の技術】
圃場において農作物を植え付ける際には耕土を行わなければならないが、その最初に行われる作業は圃場の土を掘り起こす作業である。この圃場土の掘り起こし作業は、旧くは鍬等によって人力によって行われていたが、近年は機械化が進み、トラクターによって牽引されるプラウ装置によって行われている。
【０００３】
このプラウ装置には、その進行方向に複数のはつ土板が配設され、かつこのはつ土板はその進行方向の軌跡が重複しないが、ほとんど密着するように、進行方向に幅を与えて配設されている。
【０００４】
その結果、先行するはつ土板によってめくり起こされた圃場土に、それに後続するはつ土板によってめくり起こされた圃場土の一部が重なるように覆うことになるのである。その結果、このはつ土板による掘り起こしに際しても、圃場土は、掘り起こされる前の状態の裏返しの状態には一応なるものの、完全な裏返しの状態ではない。
【０００５】
【発明が解決しようとする課題】
掘り起こす前の圃場には、収穫後に残る根、株、蔓等の植物残渣が存在することは当業者であれば何人も知るところであるが、この植物残渣は、それを有機肥料として再度その圃場において使用することは可能であり、そのためには植物残渣層が掘り起こされた状態で圃場内に完全に埋め戻されることが理想である。
【０００６】
ところが前記したプラウ装置における圃場土の掘り起こしに際しては、前記のようにはつ土板の作用面の特有の形状に沿ってめくり起こされ、かつこれが先行するはつ土板によってめくり起こされた畝状の肩に一部が重なるため、その状態はあたかも瓦葺き状態をなし、その結果、植物残渣の存在する面が一応下向きにはなるものの、植物残渣は表面に露呈することが避けられないのが実情である。
【０００７】
一般には、このように掘り起こされた圃場土は、砕土装置によって砕かれるが、このように砕土されたとしても表面に露出した植物残渣の全てが結果としては土中に埋没することはなかったのである。
【０００８】
また前記のようにプラウ装置によって圃場を掘り起こす際には、これを牽引するトラクターの片輪が、すでに掘り起こされた溝中を走行することになっており、そのためトラクターは傾き、これを運転する者の乗車姿勢も傾くことを強いられ、単に運転するとは言え、腰や背に苦痛と疲労を伴うのであった。
【０００９】
【課題を解決するための手段】
そこでこの発明に係る圃場土耕起装置（請求項１）は前記の課題を解決するために、肥土層掘起刃によって掘り起こされた肥土層を、掘り起こされた後の圃場に搬送するコンベアを前記肥土層掘起刃の後方に配設するとともに、前記肥土層掘起刃の上方に、肥土層上部に存在する植物残渣層を掘り起こす植物残渣層掘起刃を配設し、この植物残渣層掘起刃によって掘り越された植物残渣層を後方に搬送するコンベアを前記植物残渣層掘起刃の後方に配設し、この植物残渣層搬送用コンベアの終端部分に植物残渣層裁断用カッターを配設するとともに、前記植物残渣層搬送用コンベアの終端部分に、耕起装置を横断する状態の植物残渣層搬送装置と、排出された植物残渣層を肥土層が掘り起こされた圃場に散布する散布装置を配設したものである。
【００１０】
またこの発明に係る圃場土耕起装置（請求項２）は前記の課題を解決するために、前記肥土層掘起刃及び／又は植物残渣層掘起刃を、角度調節装置によって傾斜角度の調節を行うことができるように構成したものである。
【００１１】
さらにこの発明に係る圃場土耕起装置（請求項３）は前記の課題を解決するために、前記植物残渣層搬送装置を、スクリューコンベアと筒状案内筒によって構成したものである。
【００１２】
またこの発明に係る圃場土耕起装置（請求項４）は前記の課題を解決するために、前記スクリューコンベアを、スクリュー型スプレッダとしたものである。
【００１３】
さらにこの発明に係る圃場土耕起装置（請求項５）は前記の課題を解決するために、前記散布装置を、空気噴出装置としたものである。
【００１４】
【発明の実施の形態】
次にこの発明に係る圃場土耕起装置の実施の形態を図面に基づいて述べると、１は耕起装置の進行方向最先端に配設した肥土掘起刃であり、板状に形成してあるが、肥土ａに刺入し易くするために、その先端を尖端状に形成してあるとともに、耕起装置の進行方向前端縁をナイフエッジ状に形成してある。
【００１５】
またこの肥土掘起刃１は、直接的には支点軸２に連結されており、したがって、蝶番がヒンジを介して回動するが如く、前記肥土掘起刃１もこの支点軸２を介して回動自在を呈するが、回動させる手段として油圧又は気圧シリンダー３によって行われる。請求項３において角度調節装置と記載したものである。この結果、前記シリンダー３によって肥土掘起刃１の肥土ａに対する刺入角度を選択することができるのである。
【００１６】
４は前記肥土掘起刃１の後方に、渡し板５を介して配設した肥土搬送用コンベアであり、この肥土搬送用コンベア４は例えばベルトコンベアを採用しており、ほぼ弓形に形成し、その終端を、肥土ａが掘り起こされた後の圃場（空地）に向くように配設してある。尚、前記肥土搬送用コンベア４は、例えばバケットコンベア、ローラーコンベア等としてもよい。
【００１７】
一方、ｂは圃場に残存する植物残渣層であり、６は植物残渣層ｂを掘り起こすための植物残渣層掘起刃である。この植物残渣層掘起刃６も板状に形成され、植物残渣層ｂに刺入し易くするために、その先端を尖端状に形成してあるとともに、耕起装置の進行方向前端縁をナイフエッジ状に形成してある。
【００１８】
またこの植物残渣層掘起刃６は、直接的には支点軸２’に連結されており、したがってこの支点軸２’を介して回動自在を呈するが、回動させる手段としては、この場合も油圧又は気圧シリンダー３’によって行われる。請求項３において角度調節装置と記載したものである。この結果、前記シリンダー３’によって植物残渣層掘起刃６の植物残渣層ｂに対する刺入角度を選択することができるのである。
【００１９】
７は、前記植物残渣層掘起刃６の後方に、渡し板５’を介して配設した植物残渣層搬送用コンベアであり、この植物残渣層搬送用コンベア７もベルトコンベアを採用してあり、ほぼ弓形に形成してある。尚、この植物残渣層搬送用コンベア７も例えばバケットコンベア、ローラーコンベア等としてもよい。
【００２０】
８は、前記植物残渣層搬送用コンベア７の終端部分における上方に配設した植物残渣層裁断用カッターであり、この植物残渣層裁断用カッター８は回転する円盤刃によって構成されている。
【００２１】
９は、前記植物残渣層搬送用コンベア７の終端部分に配設した植物残渣搬送装置であり、この植物残渣搬送装置９は、前記植物残渣層裁断用カッター８によって裁断された植物残渣を肥土ａ及び植物残渣層ｂが掘り起こされた圃場（空地）に搬送するものである。またこの植物残渣搬送装置９は耕起装置本体を横断する状態に配設し、かつその下面には、植物残渣層搬送用コンベア７の終端から、下方に植物残渣及びこれに付着している土が不慮に落下することを防止する受け板１３を配設してある。
【００２２】
前記植物残渣搬送装置９として、その長手方向に回動するベルトコンベアを採用することも可能であるが、スクリューコンベアを用いることも可能である。いずれにあっても、植物残渣搬送装置９によって、この植物残渣搬送装置９の端部に導かれることになるので、その端部の位置から下方に向けて配設した筒状案内筒１０を経由して落下するのである。
【００２３】
前記植物残渣搬送装置９は、前記の目的を果たし得るものであれば、前記のようにベルトコンベアであってもスクリューコンベアであってもかまわないが、これららは基本的には、一台のベルトコンベア等においては一方向への搬送は可能であっても、同時に左右への分割搬送は不可能であるから、例えばスクリュー型スプレッダ（ネジ山を有する棒材で、その中央を境に左右のネジ山の向きが逆になっているもの）を用いると、このスクリュー型スプレッダの中央に搬送された植物残渣を、これに付着している土とともに左右に分割搬送することができる。この場合、前記筒状案内筒１０は、植物残渣搬送装置９の左右両端に配設するものとする。この筒状案内筒１０も植物残渣を搬送する手段をなすものであるから、請求項３においては、前記スクリューコンベア等を合わせて植物残渣搬送装置と称している。
【００２４】
１１は前記筒状案内筒１０に配設したエアノズルであり、このエアノズル１１から空気が噴出するのである。前記のように筒状案内筒１０を経由した植物残渣は、このエアノズル１１が存在しないと仮定した場合、この筒状案内筒１０の出口直下に落下することになる。しかしこの落下位置は、前記筒状案内筒１０の位置関係を考慮すると、いまだ肥土ａ及び植物残渣層ｂが掘り起こされていない部分（未耕起圃場）又はすでに掘り起こされ肥土ａが埋め戻されている部分（耕起済圃場）であることがあり得る。一方、この筒状案内筒１０から排出される植物残渣は、これを肥土ａ及び植物残渣層ｂを掘り起こした後の圃場（空地）に落下することが好ましい。そこで筒状案内筒１０から落下寸前の植物残渣をエアノズル１１によって前記肥土ａ及び植物残渣層ｂを掘り起こした圃場（空地）に向けて散布することができるのである。エアノズル１１から噴出される空気によって自重に軽重の差がある植物残渣は、相応の距離吹き飛ばれるのである。尚、エアノズル１１に対する空気の供給は、トラクターに一般的に搭載されているエアコンプレッサを活用することが可能である。また、前記筒状案内筒１０の下端開口部は肥土搬送用コンベア４の後端部よりも前方に位置するように配設してある。
【００２５】
しかしてこの発明に係る耕起装置をトラクターによって牽引するのであるが、その際、肥土掘起刃１及び植物残渣層掘起刃６によって同時に肥土ａ及び植物残渣層ｂを掘り起こす。掘り起こされた肥土ａ及び植物残渣層ｂは、それぞれ肥土搬送用コンベア４及び植物残渣層搬送用コンベア７によって耕起装置の進行方向後方に搬送され、そのうち肥土ａは、肥土ａ及び植物残渣層ｂが掘り起こされた圃場に直接排出されるが、植物残渣層ｂは、植物残渣層裁断用カッター８によって裁断され、やがてスクリュー型スプレッダ等の植物残渣搬送装置９によって植物残渣と、これに付着していた土が互いに混じり合った状態で、筒状案内筒１０に導かれ、エアノズル１１から噴出する空気によって肥土ａ及び植物残渣層ｂが掘り起こされた圃場に散布されるのである。この場合、筒状案内筒１０の開口部は、肥土搬送用コンベア４の終端部分よりも前方に存在するので、前記肥土ａ及び植物残渣層ｂを掘り起こした圃場において、植物残渣が散布落下した上に肥土ａが覆うように埋め戻されるのである。
【００２６】
尚、前記肥土ａの下部には、一般的に心土層が存在し、この心土層は固い地質であるため、その上に軟らかい肥土ａ（及び植物残滓）が埋め戻されるとしても水捌けが良好に行われにくいことがある。そのため、この発明に係る耕起装置に深耕爪１２を配設し、この深耕爪１２によって心土層にグルービングすることもある。
【００２７】
【発明の効果】
前記のようにこの発明に係る圃場土耕起装置によれば、肥土層掘起刃によって掘り起こされた肥土層を、掘り起こされた後の圃場に搬送するコンベアを前記肥土層掘起刃の後方に配設するとともに、前記肥土層掘起刃の上方に、肥土層上部に存在する植物残渣層を掘り起こす植物残渣層掘起刃を配設し、この植物残渣層掘起刃によって掘り越された植物残渣層を後方に搬送するコンベアを前記植物残渣層掘起刃の後方に配設し、この植物残渣層搬送用コンベアの終端部分に植物残渣層裁断用カッターを配設するとともに、前記植物残渣層搬送用コンベアの終端部分に、耕起装置を横断する状態の植物残渣層搬送装置と、排出された植物残渣層を肥土層が掘り起こされた圃場に散布する散布装置を配設してあるので、掘り起こされた植物残渣は、それに付着していた土とともに肥土の下部に埋め戻され、したがってこれを有機肥料として使用することができるとともに、表層には肥土が露出するので酸素の吸収も可能となり、好ましい耕起を行うことができるという効果を有するのである。
【図面の簡単な説明】
【図１】この発明に係る圃場土耕起装置の一実施例を示す平面図である。
【図２】この発明に係る圃場土耕起装置の一実施例を示す側面図（一部断面）である。
【図３】筒状案内筒と散布装置の関係を示す断面図である。
【符号の説明】
１  肥土掘起刃
２，２’  支点軸
３，３’  シリンダー
４  肥土搬送用コンベア
５，５’  渡し板
６  植物残渣層掘起刃
７  植物残渣層搬送用コンベア
８  植物残渣層裁断用カッター
９  植物残渣搬送装置
１０  筒状案内筒
１１  エアノズル
１２  深耕爪
１３  受け板
ａ  肥土
ｂ  植物残渣層
【図１】
0003665891.tif 000002
【図２】
0003665891.tif 000003
【図３】
0003665891.tif 000004